(57)【要約】      （修正有）【課題】アラーム出力原因となった異常のレベルも、異常発生の継続状態も、それぞれ通知する生体情報モニタ装置を提供する。【解決手段】生体情報のモニタリングを行う生体情報モニタ装置は、モニタリング中に発生し得る異常のレベル毎に、アラーム音の音量範囲を、それぞれのレベルに対応する音量範囲を互いに重複させないように設定し、モニタリング中、異常が発生した場合、発生した異常のレベルに対応する音量範囲内の音量で、アラーム音を聴覚アラーム出力部から出力させ、発生した異常の継続時間に応じて、聴覚アラーム出力部から出力させるアラーム音の音量を、対応する音量範囲内で変化させる。【選択図】図５
2020185073.tif 000002
【特許請求の範囲】
【請求項１】
生体情報のモニタリングを行う生体情報モニタ装置であって、
前記モニタリング中に発生し得る異常のレベル毎に、アラーム音の音量範囲を、それぞれのレベルに対応する音量範囲を互いに重複させないように設定するアラーム設定部と、
前記モニタリング中、異常が発生した場合、発生した異常のレベルに対応する音量範囲内の音量で、アラーム音を聴覚アラーム出力部から出力させ、かつ、発生した異常の継続時間に応じて、前記聴覚アラーム出力部から出力させるアラーム音の音量を、前記対応する音量範囲内で変化させるアラーム制御部と、
を有する生体情報モニタ装置。
【請求項２】
前記アラーム設定部は、それぞれのレベルに対して設定された音量範囲内の最小音量を、それぞれ対応する異常が発生した際のアラーム音の初期出力音量として設定し、
前記アラーム制御部は、前記モニタリング中、異常が発生した場合、前記対応する音量範囲内の最小音量で、アラーム音を前記聴覚アラーム出力部から出力させ、かつ、発生した異常の継続時間に応じて、アラーム音の音量を、前記対応する音量範囲内で増大させる、
請求項１に記載の生体情報モニタ装置。
【請求項３】
前記アラーム制御部は、発生した異常の継続時間に応じて増大したアラーム音の音量が、前記対応する音量範囲内の最大音量に到達した場合、その後の継続時間にかかわらず、アラーム音の音量を、前記対応する音量範囲内の最大音量に維持させる、
請求項２に記載の生体情報モニタ装置。
【請求項４】
前記アラーム設定部は、アラーム音の音量を変化させる時間間隔を設定し、
前記アラーム制御部は、アラーム音の音量を、設定された時間間隔毎に、段階的に切り替えることにより変化させる、
請求項１から３のいずれか一項に記載の生体情報モニタ装置。
【請求項５】
前記アラーム制御部は、発生した異常の継続時間が前記時間間隔以上になったとき、アラーム音の音量を、前記対応する音量範囲内での最小音量から最大音量への一回の段階的切り替えにより、変化させる、
請求項４に記載の生体情報モニタ装置。
【請求項６】
生体情報のモニタリングを行う生体情報モニタ装置のアラーム制御方法であって、
前記モニタリング中に発生し得る異常のレベル毎に、アラーム音の音量範囲を、それぞれのレベルに対応する音量範囲を互いに重複させないように設定するアラーム設定ステップと、
前記モニタリング中、異常が発生した場合、発生した異常のレベルに対応する音量範囲内の音量で、アラーム音を聴覚アラーム出力部から出力させるアラーム出力ステップと、
発生した異常の継続時間に応じて、前記聴覚アラーム出力部から出力させるアラーム音の音量を、前記対応する音量範囲内で変化させるアラーム音量制御ステップと、
を有する生体情報モニタ装置のアラーム制御方法。
【請求項７】
生体情報のモニタリングを行う生体情報モニタ装置のアラーム制御プログラムであって、
前記生体情報モニタ装置のコンピュータに、
前記モニタリング中に発生し得る異常のレベル毎に、アラーム音の音量範囲を、それぞれのレベルに対応する音量範囲を互いに重複させないように設定するアラーム設定ステップと、
前記モニタリング中、異常が発生した場合、発生した異常のレベルに対応する音量範囲内の音量で、アラーム音を聴覚アラーム出力部から出力させるアラーム出力ステップと、
発生した異常の継続時間に応じて、前記聴覚アラーム出力部から出力させるアラーム音の音量を、前記対応する音量範囲内で変化させるアラーム音量制御ステップと、
を実現させる生体情報モニタ装置のアラーム制御プログラム。
【発明の詳細な説明】
【技術分野】
【０００１】
本発明は、生体情報モニタ装置、生体情報モニタ装置のアラーム制御方法、及び生体情報モニタ装置のアラーム制御プログラムに関する。
【背景技術】
【０００２】
生体情報モニタ装置は、心電図、血圧及び酸素飽和度等の生体情報の計測値及び波形をディスプレイの表示画面上に一括表示することができる。生体情報モニタ装置の例としては、病室等のベッドサイドに設置して使用されるベッドサイドモニタ装置やナースステーション等に設置して使用されるセントラルモニタ装置等がある。医療従事者（医師及び看護師等）は、表示画面に表示された計測値及び波形を見ることで、患者の容体を把握することができる。
【０００３】
また、生体情報モニタ装置は一般に、何らかの異常（例えば、生体情報の異常、測定機器類・測定環境の異常）が生じたとき、アラーム音を出力（聴覚アラームの出力）したりアラームインジケータを点灯・点滅（視覚アラームの出力）させたりする等のアラーム出力を行うことで、その異常を医療従事者に通知する、アラーム機能を有する。そのため、医療従事者は、表示画面を常時見ていなくても、生体情報モニタ装置から出力されたアラームに気付き、異常の発生を即座に知ることができる。なお、アラームインジケータは、生体情報モニタ装置の最上部に配置されており、生体情報モニタ装置の側面方向や背面方向からでも視覚アラームを確認できる。
【０００４】
従来の生体情報モニタ装置の一例としては、例えば特許文献１に記載されたものがある。この生体情報モニタ装置では、異常のレベルに応じた「優先度」と呼ばれる設定値が予め内部に設定されており、それぞれの優先度に応じたアラームの出力態様も予め内部に設定されている。生体信号の異常或いは機器類・環境の異常が生じると、その異常のレベルに応じた優先度に基づく出力態様で、聴覚アラーム及び視覚アラームの出力が行われる。例えば、ＳｐＯ２の測定値が所定の閾値（例えば９０％）未満である状態は、予め設定された３段階の優先度（低優先度、中優先度及び高優先度）のうち、中優先度に該当する。よって、その状態が発生した場合は、中優先度のアラームの出力が行われる。
【０００５】
また、この従来の生体情報モニタ装置では、アラーム出力が開始された後、その継続時間が所定の条件に該当すると、アラームの優先度が変更され、それに従って、アラームの出力態様も変更されるようになっている。例えば、異常発生状態の継続時間が５分を経過した場合、優先度がアラーム出力開始当初の優先度（例えば中優先度）から１段階上位の優先度（例えば高優先度）に変更される。そして、アラームの出力態様の変更（例えば、音量の増加、点滅速度の高速化）が、この優先度の変更に伴って行われる。
【先行技術文献】
【特許文献】
【０００６】
【特許文献１】特許第５９０９０３７号公報
【発明の概要】
【発明が解決しようとする課題】
【０００７】
しかしながら、上記従来の生体情報モニタ装置においては、アラーム出力の継続時間に応じて、アラームの優先度が、アラーム出力の原因となった異常のレベルに対応する特定の優先度から、別の異常のレベルに対応する別の優先度へと変更される。このとき、アラーム出力の原因となった異常のレベルそのものは、実際には何ら変化していない場合もある。そのため、異常のレベル自体を識別することが困難になるという問題があった。
【０００８】
本発明の目的は、アラーム出力原因となった異常のレベルも、異常発生の継続状態も、それぞれ通知することができる、生体情報モニタ装置、生体情報モニタ装置のアラーム制御方法、及び生体情報モニタ装置のアラーム制御プログラムを提供することである。
【課題を解決するための手段】
【０００９】
本発明の生体情報モニタ装置は、
生体情報のモニタリングを行う生体情報モニタ装置であって、
前記モニタリング中に発生し得る異常のレベル毎に、アラーム音の音量範囲を、それぞれのレベルに対応する音量範囲を互いに重複させないように設定するアラーム設定部と、
前記モニタリング中、異常が発生した場合、発生した異常のレベルに対応する音量範囲内の音量で、アラーム音を聴覚アラーム出力部から出力させ、かつ、発生した異常の継続時間に応じて、前記聴覚アラーム出力部から出力させるアラーム音の音量を、前記対応する音量範囲内で変化させるアラーム制御部と、
を有する。
【００１０】
本発明の生体情報モニタ装置のアラーム制御方法は、
生体情報のモニタリングを行う生体情報モニタ装置のアラーム制御方法であって、
前記モニタリング中に発生し得る異常のレベル毎に、アラーム音の音量範囲を、それぞれのレベルに対応する音量範囲を互いに重複させないように設定するアラーム設定ステップと、
前記モニタリング中、異常が発生した場合、発生した異常のレベルに対応する音量範囲内の音量で、アラーム音を聴覚アラーム出力部から出力させるアラーム出力ステップと、
発生した異常の継続時間に応じて、前記聴覚アラーム出力部から出力させるアラーム音の音量を、前記対応する音量範囲内で変化させるアラーム音量制御ステップと、
を有する。
【００１１】
生体情報のモニタリングを行う生体情報モニタ装置のアラーム制御プログラムであって、
前記生体情報モニタ装置のコンピュータに、
前記モニタリング中に発生し得る異常のレベル毎に、アラーム音の音量範囲を、それぞれのレベルに対応する音量範囲を互いに重複させないように設定するアラーム設定ステップと、
前記モニタリング中、異常が発生した場合、発生した異常のレベルに対応する音量範囲内の音量で、アラーム音を聴覚アラーム出力部から出力させるアラーム出力ステップと、
発生した異常の継続時間に応じて、前記聴覚アラーム出力部から出力させるアラーム音の音量を、前記対応する音量範囲内で変化させるアラーム音量制御ステップと、
を実現させる。
【発明の効果】
【００１２】
本発明によれば、アラーム出力原因となった異常のレベルも、異常発生の継続状態も、それぞれ通知することができる。
【図面の簡単な説明】
【００１３】
【図１】実施の形態に係る生体情報モニタ装置の構成を示すブロック図
【図２】生体情報モニタ装置を前面方向から見た外観図
【図３】生体情報モニタ装置のアラーム制御方法の一例を説明するためのフローチャート
【図４】アラーム設定用の画面表示の一例を示す図
【図５】アラーム設定用の画面表示の他の例を示す図
【図６】出力されるアラーム音量の推移の一例を示す図
【図７】出力されるアラーム音量の推移の他の例を示す図
【発明を実施するための形態】
【００１４】
以下、本発明の実施の形態について、図面を参照して詳細に説明する。
【００１５】
図１は、本発明の一実施の形態に係る生体情報モニタ装置１００の構成を示すブロック図である。
【００１６】
生体情報モニタ装置１００は、コネクタ部１０１、制御部１０２、記憶部１０３、ディスプレイ１０４、アラームインジケータ１０５、通信部１０６、スピーカ１０７、及び操作ボタン１２０を有する。
【００１７】
コネクタ部１０１は、患者に装着された生体情報検出部を生体情報モニタ装置１００に接続するためのコネクタである。コネクタ部１０１には生体情報測定装置群１１０が接続される。生体情報測定装置群１１０には、心電図を検出するための心電電極１１１、血圧を検出するための血圧測定用カフ１１２、体温を検出するための体温センサ１１３、ＳｐＯ２を検出するためのＳｐＯ２センサ１１４、及び心拍出量を検出するための心拍出量センサ１１５等の生体情報検出部等が含まれる。コネクタ部１０１は、生体情報測定装置群１１０と制御部１０２との間のインタフェースとして機能する。なお、コネクタ部１０１には、生体情報測定装置群１１０の他に、例えば人工呼吸器等、治療や処置に用いる装置（以下、「治療機器」という）を接続しても良い。本実施の形態では、治療機器や、生体情報測定装置群１１０、生体情報モニタ装置１００を纏めて、「機器類」と称する。
【００１８】
制御部１０２は、例えばＣＰＵ（Central Processing Unit）等の演算処理装置及びＲＡＭ（Random Access Memory）等のメモリ装置を備え、記憶部１０３（例えばＲＯＭ（Read Only Memory）等）に記憶されたプログラムをメモリ装置に展開して演算処理装置により実行することで、生体情報モニタ装置１００の全体の制御、及び、所定の計測処理を実行する。この計測処理によって、制御部１０２は、コネクタ部１０１に接続された生体情報測定装置群１１０を用いて患者の生体情報を計測する。そして、制御部１０２は、その計測の結果に基づき、患者の生体情報の異常（以下、「生体情報関連異常」という）を検知する。また、制御部１０２は、生体情報測定装置群１１０及び治療機器との接続状態の異常や、機器類及び環境の異常（以下、「機器情報関連異常」という）を検知する。なお、制御部１０２が、これらの異常検知の通知を生体情報モニタ装置１００の外部から受けるようにしても良い。また、上記生体情報測定装置群１１０を用いた各種生体情報の計測方法、生体情報関連異常の検知方法及び機器情報関連異常の検知方法については、従来周知のものを適用可能であるため、ここではその詳細な説明を省略する。制御部１０２は、「アラーム設定部」及び「アラーム制御部」の一例である。
【００１９】
ディスプレイ１０４は、制御部１０２の計測処理によって得られた生体情報を、計測値又は波形の形式で表示する。ディスプレイ１０４は、例えばタッチパネル付き液晶表示器であり、生体情報を表示する表示機能を有するだけでなく、操作者による入力操作を受け付ける入力部としての機能も有する。具体的には、ディスプレイ１０４は、ディスプレイ１０４の表示形式や、生体情報モニタ装置１００のモード変更、アラーム設定等のための、操作者からのタッチ操作による入力を受け付けることができる。
【００２０】
さらに、生体情報モニタ装置１００は操作ボタン１２０を有する。操作ボタン１２０は、図２に示すように、生体情報モニタ装置１００の前面のディスプレイ１０４の近傍に設けられている。なお、図２は、生体情報モニタ装置１００を前面方向から見た外観図である。生体情報モニタ装置１００の筐体上部には、アラームインジケータ１０５が設けられている。アラームインジケータ１０５は、例えばＬＥＤ（Light Emitting Diode）等を用いた照明器具であり、制御部１０２（図１）によって、生体情報関連異常又は機器情報関連異常が生じたと検知されたときに例えば赤色に点滅するようになっている。アラームインジケータ１０５は、視覚アラーム出力部の一例である。アラームインジケータ１０５による視覚アラームの出力態様は、予め制御部１０２において設定されており、この設定に従った出力態様で視覚アラームが出力される。
【００２１】
操作ボタン１２０は、複数のボタンにより構成されている。操作ボタン１２０としては、例えば電源スイッチ１２１や、測定開始／停止ボタン１２２、データ記録ボタン１２３、アラーム音停止ボタン１２４等が含まれる。
【００２２】
生体情報モニタ装置１００は、通信部１０６を介して他の生体情報モニタ装置と通信することができる。具体的には、生体情報モニタ装置１００は、取得した生体情報や自装置の状態等を、通信部１０６を介してセントラルモニタ装置等に送信可能である。また、セントラルモニタ装置からの制御信号を、通信部１０６を介して入力可能である。通信部１０６による通信のための生体情報モニタ装置１００と外部との接続は、有線でも無線でも良い。
【００２３】
スピーカ１０７は、音声出力装置であり、アラームを音として出力する「聴覚アラーム出力部」の一例である。スピーカ１０７は、制御部１０２（図１）によって、生体情報、機器類又は環境に異常が生じたと検知されたときに例えば電子音をアラーム音（聴覚アラーム）として出力するようになっている。スピーカ１０７は、アラーム音以外にも、例えば心拍のＲ波同期音等を出力しても良い。スピーカ１０７による聴覚アラームの出力態様は、予め制御部１０２において設定されており、この設定に従った出力態様で聴覚アラームが出力される。
【００２４】
以上、本実施の形態の生体情報モニタ装置１００の構成について説明した。
【００２５】
次いで、生体情報モニタ装置１００のアラーム制御方法について説明する。なお、ここでは、図３を参照して、異常発生の継続時間に応じてアラーム音の音量を変化させるアラーム音制御方法を例に挙げて説明する。
【００２６】
まず、ステップＳ１において、制御部１０２は、操作ボタン１２０の操作やディスプレイ１０４のタッチ操作等に従って、アラーム設定を行う。
【００２７】
アラーム設定が行われる際、制御部１０２は、まず、ディスプレイ１０４に、アラーム設定用の画面としてアラーム音設定ウィンドウを表示させる。図４は、アラーム音設定ウィンドウの一例を示す図である。このアラーム音設定ウィンドウでは、アラーム種別毎に、及び、アラーム優先度毎に、音色と音量を設定する操作が入力可能である。
【００２８】
本実施の形態において、設定可能なアラーム種別は、生体情報関連異常を報知するための生体情報アラーム、人工呼吸器の異常を通知するための人工呼吸器アラーム、並びに、人工呼吸器の異常以外の機器情報関連異常を通知するための機器情報アラーム、の３種類である。生体情報アラームは、いわゆるバイタルアラームに該当し、人工呼吸器アラーム及び機器情報アラームは、いわゆるテクニカルアラームに該当する。
【００２９】
３種類のアラームのうち、生体情報アラーム及び機器情報アラームに対しては、アラーム優先度毎に、音色及び音量の設定が可能である。本実施の形態では、緊急度合いが比較的低い低優先度のアラームは「状態アラーム」と呼ばれ、緊急度合いが中程度である中優先度のアラームは「注意アラーム」と呼ばれ、緊急度合いが比較的高い高優先度のアラームは「緊急アラーム」と呼ばれる。
【００３０】
低優先度、中優先度及び高優先度の定義、並びに、優先度に応じて異なる態様でアラームを出力可能とする設定及び制御については、例えば特許文献１記載のように従来周知であるため、ここではその詳細な説明を省略する。ただし、本実施の形態のアラーム音制御方法は、異常状態が継続しても優先度自体は変更されず異常状態発生時の優先度が持続する点で、特許文献１記載の従来技術とは相違する。
【００３１】
音色は、例えばアラーム音設定ウィンドウ内の音色設定ボタンをタッチ操作することで、変更可能である。候補となる音色は、予め記憶部１０３に記憶されており、音色設定ボタンのタッチ操作により、アラーム音の音色が選択される。
【００３２】
音量は、例えばアラーム音設定ウィンドウ内のスライドバーに沿ってスライダーを上下にスワイプ操作をすることで、変更可能である。図４に示された例では、機器情報アラーム音に関して、緊急アラームの音量は、１０段階中の「７」に設定されており、注意アラームの音量は、１０段階中の「４」に設定されており、状態アラームの音量は、１０段階中の「３」に設定されている。本実施の形態では、相対的に下位の優先度のアラーム音量が、相対的に上位の優先度のアラーム音量以上とならないように、設定可能範囲が予め制限されている。
【００３３】
なお、音量の設定値は、音量の目標値を意味するが、音場内のどの位置でその目標値の音量となるようにするかは、種々変更して実施可能である。
【００３４】
アラーム音の音色及び音量の設定が行われた後、制御部１０２は、エスカレーションアラームの設定を行う。
【００３５】
エスカレーションアラームの設定においては、制御部１０２は、ディスプレイ１０４に、アラーム設定用のもう一つの画面としてエスカレーションアラーム設定ウィンドウを表示させる。図５は、エスカレーションアラーム設定ウィンドウの一例を示す図である。このエスカレーションアラーム設定ウィンドウでは、アラーム種別毎に、及び、アラーム優先度毎に、音量範囲を設定する操作が入力可能である。より具体的には、ここで行われる操作は、音量範囲の最大値を設定する操作である。音量範囲の最小値は、アラーム音設定ウィンドウで設定された音量に、予め決められている。よって、エスカレーションアラーム設定ウィンドウでは、音量範囲の最大値を決めるだけで、音量範囲の設定を完了することができる。
【００３６】
エスカレーションアラームは、例えばエスカレーションアラーム設定ウィンドウ内のエスカレーション有効化ボタンをタッチ操作して「ＯＦＦ」から「ＯＮ」に切り替えることで、有効化される。エスカレーション有効化ボタンが「ＯＦＦ」の場合は、設定された音量範囲が無効となり、後述する音量増加等のエスカレーションアラームは実行されない。よって、アラーム音量を変化させる本実施の形態のアラーム音制御方法は、エスカレーション有効化ボタンが「ＯＮ」であることを前提とする。
【００３７】
音量範囲の最大値は、例えばエスカレーションアラーム設定ウィンドウ内のスライドバーに沿ってスライダーを上下にスワイプ操作することで、変更可能である。図４に示された例では、機器情報アラーム音に関して、緊急アラームの音量範囲の最小値は、予め「７」に設定されているので、その音量範囲の最大値を、「７」以上の値から選択することができる。この例では、機器情報アラーム音の緊急アラームの最大音量は「９」に設定されている。また、機器情報アラーム音の注意アラームの音量範囲の最小値は、予め「４」に設定されているので、その音量範囲の最大値を、「４」以上の値から選択することができる。ただし、注意アラームの上位アラームである緊急アラームの音量範囲の最小値が「７」であるため、注意アラームの音量範囲の最大値として選択可能な値は、「７」未満に制限される。このような設定上の制限により、上位アラームとの音量範囲の重複を回避することができる。この例では、機器情報アラーム音の注意アラームの最大音量は「６」に設定されている。
【００３８】
エスカレーションアラーム設定ウィンドウ内のインターバル設定ボタンは、アラーム音量を変化させるインターバルを選択するためのボタンである。このボタンのタッチ操作により、インターバルの秒数が選択される。
【００３９】
本実施の形態のアラーム音制御方法では、エスカレーションアラームの設定が行われると、アラーム設定が完了する。
【００４０】
アラーム設定が完了すると、ステップＳ２において、制御部１０２は、モニタリング開始操作を待機する。なお、本実施の形態では、モニタリング開始前に必ずアラーム設定が行われるフローとなっているが、必ずしもモニタリング開始の直前でなくても、事前にアラーム設定が済んでいれば良い。またモニタリング開始後、モニタリング中にアラーム設定を変更しても良い。
【００４１】
モニタリング開始操作が受け付けられると（Ｓ２：ＹＥＳ）、制御部１０２は、生体情報モニタ装置１００内の各部を制御して、患者の生体情報のモニタリングを開始する。モニタリング中、制御部１０２は、機器情報関連異常の有無の判定を行うとともに、生体情報関連異常の有無の判定を行う（ステップＳ３）。
【００４２】
異常が何ら発生していない場合（Ｓ３：ＮＯ）、処理はステップＳ４に進み、制御部１０２は、モニタリング終了操作の有無を判定する。モニタリング終了操作があれば（Ｓ４：ＹＥＳ）、処理は終了し、モニタリング終了操作がなければ（Ｓ４：ＮＯ）、処理はステップＳ３に戻る。
【００４３】
生体情報関連異常又は機器情報関連異常が発生した場合（Ｓ３：ＹＥＳ）、ステップＳ５において、制御部１０２は、その異常の内容に基づいて、アラームを出力する。前述した通りアラームには聴覚アラームと視覚アラームとがあるが、ここでは聴覚アラームに主眼を置いて説明し、視覚アラームについての詳細な説明を省略する。本実施の形態では、発生した異常が生体情報関連異常、又は、人工呼吸器以外の機器類若しくは環境の異常であれば、その異常のレベル（つまり優先度）に応じて、状態アラーム、注意アラーム又は緊急アラームのいずれかが出力される。出力されるアラームの音量は、ステップＳ１でのアラーム設定に従う。より具体的に、初期出力音量は、アラーム音設定ウィンドウ（図４参照）を用いて設定された音量である。
【００４４】
例えば、アラーム種別毎に、及び、アラーム優先度毎に、図４に示すようにアラーム音量が設定されていた状態で、図６に示すように、モニタリング開始後、ある時刻ｔ１で、機器情報関連異常に起因して緊急アラームが出力されたとする。この場合、初期出力音量「７」（図４参照）で緊急アラームの出力が開始される。また、例えば図６に示すように、モニタリング開始後、ある時刻ｔ３で、機器情報関連異常に起因して注意アラームが出力されたとする。この場合、初期出力音量「４」（図４参照）で注意アラームの出力が開始される。
【００４５】
アラーム音の出力が開始されると、ステップＳ６において、制御部１０２は、異常発生状態が継続しているかどうかを判定する。異常発生状態が継続していない場合（Ｓ６：ＮＯ）、処理はステップＳ７に進み、制御部１０２は、アラームの出力を停止させる。そして、処理はステップＳ４に進む。例えば、モニタリング開始後、ある時刻ｔ２で機器情報関連異常が解消されたとすると、その時点でのステップＳ６の判定結果が「ＮＯ」となり、図６に示すように、緊急アラームの出力が停止される。
【００４６】
異常発生状態が継続している場合（Ｓ６：ＹＥＳ）、ステップＳ８において、制御部１０２は、異常のレベルに変化があったかどうかを判定する。ここでいう異常のレベルの変化とは、発生中の異常状態に対応する優先度の変化である。異常のレベルに変化があれば（Ｓ８：ＹＥＳ）、対応する優先度に応じたアラーム音の出力に切り替えるため、処理はステップＳ５に移行する。異常のレベルに変化がなければ（Ｓ８：ＮＯ）、ステップＳ９において、制御部１０２は、アラーム停止操作があったか否かを判定する。アラーム停止操作があれば（Ｓ９：ＹＥＳ）、処理はステップＳ７に移行する。アラーム停止操作がなければ（Ｓ９：ＮＯ）、ステップＳ１０において、制御部１０２は、現在のアラーム音量でのアラーム出力が始まってからＴ秒が経過したかどうかを判定する。
【００４７】
ここで、Ｔ秒とは、ステップＳ１でのアラーム設定の際に、エスカレーションアラーム設定ウィンドウ（図５参照）を用いて設定されたインターバルの時間である。このインターバルが例えば「１０秒」に予め設定されている場合は、制御部１０２は、現在のアラーム音量でのアラーム出力が始まってから１０秒が経過したかどうかを判定する。現在のアラーム音量でのアラーム出力が始まってからＴ秒が経過していない場合（Ｓ１０：ＮＯ）、処理はステップＳ６に戻り、Ｔ秒が経過した場合（Ｓ１０：ＹＥＳ）、処理はステップＳ１１に進む。
【００４８】
ステップＳ１１において、制御部１０２は、現在のアラーム音量が、予め設定されている音量範囲の最大値であるかどうかを判定する。この最大値は、ステップＳ１でのアラーム設定の際に、エスカレーションアラーム設定ウィンドウ（図５参照）を用いて設定された、音量範囲の最大値である。
【００４９】
現在のアラーム音量が最大値ではない場合（Ｓ１１：ＮＯ）、ステップＳ１２において、制御部１０２は、アラーム音量を、現在のアラーム音量から１段階だけ増大させる。ここで、アラーム種別毎に、及び、アラーム優先度毎に、図５に示すように音量範囲が設定されていたとする。そして、図６に示す時刻ｔ４を例にとると、この時点で出力されている注意アラーム（機器情報関連異常に起因）のアラーム音量は最大値ではない「４」であるため、制御部１０２は、アラーム音量を、現在のアラーム音量「４」から１段階上の「５」に増大させる。また、図６に示す時刻ｔ５を例にとると、この時点でのアラーム音量は最大値ではない「５」であるため、制御部１０２は、アラーム音量を、現在のアラーム音量「５」から１段階上の「６」に増大させる。
【００５０】
現在のアラーム音量がすでに最大値に達している場合（Ｓ１１：ＹＥＳ）、これ以上音量を増大させることはできないので、音量をそのまま維持してアラームの出力を続けつつ、処理はステップＳ６に戻る。
【００５１】
これにより、注意アラームの音量が緊急アラームの音量以上となる状況は起こらない。或いは、状態アラームの音量が注意アラームの音量以上となる状況も起こらない。よって、例えばＳｐＯ２の測定結果に基づいて注意アラームを発した後、それが長時間にわたり継続したとしても、ＳｐＯ２の測定結果自体に著しい悪化が生じない限り、そのアラーム音量が緊急アラームと同じ音量となることがない。そのため、そのアラームに気付いた医療従事者が、発生した異常のレベルを誤解してしまう可能性を抑制することができる。尚且つ、発生している異常のレベルも、その異常発生状態が継続していたことも、把握することが可能となる。
【００５２】
上記アラーム音制御方法では、アラーム音の音量を、予め設定された時間間隔（インターバル）毎に、一段階ずつ切り替えることにより徐々に変化させているが、一段階ずつでは無く、対応する音量範囲内での最小音量から最大音量へ、一回の段階的切り替えにより、一気に変化させても良い。これにより、異常発生状態の継続を、より確実に医療従事者へ知らせることができる。
【００５３】
また、比較的上位のアラームについては、音量を増大させる際の増大幅を、比較的下位のアラームよりも拡大するようにしても良い。これにより、音量の変化を通じて、異常発生状態が継続したままであることを医療従事者に気付かせる効果を、より上位のアラームほど高めることができる。異常発生状態の継続時間が長くなるほど、音量の増大幅を拡大するようにしても良い。
【００５４】
また、上記アラーム制御方法では、アラーム音量を変化させる際、音量を段階的に切り替えているが、その変化は無段階であっても良い。音量変化が段階的であっても無段階であっても、徐々に音量を増大させれば、エスカレーションアラームを実現することができる。
【００５５】
また、上記アラーム制御方法では、アラーム音量を変化させる際、音量を一方的に増大させているが、音量の増大だけでなく音量の減少も含まれていても良い。一時的に減少させる音量変化が含まれていても、全体として増大させる方向で音量変化が行われていれば、エスカレーションアラームの効果を実現することができる。例えば、図７に変形例として示すように、時刻ｔ１１で機器情報関連異常に起因する注意アラーム出力が開始された後、Ｔ秒経過後の時刻ｔ１２から音量の増減を繰り返し行うようにしても良い。また、さらにそのＴ秒経過後の時刻ｔ１３からは、時刻ｔ１３以前に比べて音量の増減幅を拡大するようにしても良い。さらにそのＴ秒経過後の時刻ｔ１４からは、時刻ｔ１４以前に比べて音量の増減ピッチを縮小するようにしても良く、さらにそのＴ秒経過後の時刻ｔ１５からは、時刻１５以前に比べて音量の増減ピッチをさらに縮小するようにしても良い。図７では、音量の増減が繰り返される時刻ｔ１２以降の各インターバルにおいて、音量増大直後の大音量の時間長と音量減少直後の小音量の時間長とが同じとなっているが、これに限らず、大音量の時間長を小音量の時間長よりも長くしたり短くしたりしても良い。また、経過時間に伴い、大音量の時間長が小音量の時間長よりもだんだんと長くなっていくようにしても良い。このように、あるタイミングから、アラームの強調方法を変えるようにしても良い。また、ピッチを変えたり大音量と小音量の時間配分を変えたりする等、音に関する何らかの変化を通じて、異常発生状態が継続したままであることを医療従事者に気付かせる効果を、より上位のアラームほど高めるように、アラームの強調方法を適用することが、好ましい。特に、ある強調方法における強調レベルが飽和（例えば、音量が増大して最大音量に到達）した場合に、音量の増減ピッチを変化させる等、別の方法での強調を追加する、或いは別の方法での強調に変更するようにすると、さらに効果的なエスカレーションアラームを実現することができる。なお、図７に示す変形例において、「アラーム音量」等の聴覚アラームに関するパラメータを、「アラーム光量」等の視覚アラームに関するパラメータに置き換えることで、本変形例を、視覚アラームによるエスカレーションアラームにも適用することができる。
【００５６】
以上説明したように、本実施の形態によれば、生体情報モニタ装置１００の制御部１０２は、モニタリング中に発生し得る異常のレベル毎に、アラーム音の音量範囲を、それぞれのレベルに対応する音量範囲を互いに重複させないように設定し、モニタリング中、異常が発生した場合、発生した異常のレベルに対応する音量範囲内の音量で、アラーム音をスピーカ１０７から出力させ、かつ、発生した異常の継続時間に応じて、スピーカ１０７から出力させるアラーム音の音量を、対応する音量範囲内で変化させる。これにより、アラーム出力原因となった異常のレベルも、異常発生の継続状態も、それぞれ通知することができる。
【００５７】
以上、本発明の実施の形態について説明した。なお、以上の説明は本発明の好適な実施の形態の例証であり、本発明の範囲はこれに限定されない。つまり、上記装置の構成や各部分の形状についての説明は一例であり、本発明の範囲においてこれらの例に対する様々な変更や追加が可能であることは明らかである。
【００５８】
例えば、本実施の形態では、アラーム制御方法の一例として、異常発生の継続時間に応じてアラーム音の音量を変化させるアラーム音制御方法を挙げたが、異常発生の継続時間に応じて、アラーム音の音程或いはピッチを変えたり単音から和音にしたりするようにしても良い。また、アラーム音のような聴覚アラームではなく、アラームインジケータの点灯・点滅のような視覚アラームにおいて実現しても良い。この場合、例えば音量は明るさや色彩などに置き換えることにより同様に実現できる。
【産業上の利用可能性】
【００５９】
本発明は、アラーム機能を有する生体情報モニタ装置に広く適用できる。
【符号の説明】
【００６０】
１００  生体情報モニタ装置
１０１  コネクタ部
１０２  制御部
１０３  記憶部
１０４  ディスプレイ
１０５  アラームインジケータ
１０６  通信部
１０７  スピーカ
１１０  生体情報測定装置群
１１１  心電電極
１１２  血圧測定用カフ
１１３  体温センサ
１１４  ＳｐＯ２センサ
１１５  心拍出量センサ
１２０  操作ボタン
１２１  電源スイッチ
１２２  測定開始／停止ボタン
１２３  データ記録ボタン
１２４  アラーム音停止ボタン
【図１】
2020185073.tif 000003
【図２】
2020185073.tif 000004
【図３】
2020185073.tif 000005
【図４】
2020185073.tif 000006
【図５】
2020185073.tif 000007
【図６】
2020185073.tif 000008
【図７】
2020185073.tif 000009